(57)【要約】【課題】本考案は、汚れが付着することを抑制し、マスクを長時間にわたって快適に使用することができるマスクカバーおよびマスクを提供する。【解決手段】マスク５におけるマスク本体５１の表面５１ａおよび裏面５１ｂを覆うマスクカバー１であって、マスク本体５１の表面５１ａを覆う表地２と、マスク本体５１の裏面５１ｂを覆う裏地３と、表地２と裏地３とを接合するホック４とを備え、裏地３は、マスク本体５１の裏面５１ｂと対向する内面３２と、内面３２とは反対側の外面３１とを有し、裏地３の外面３１は撥油層３１ａを有している。【選択図】図２
0003227459.tif 000002
【実用新案登録請求の範囲】
【請求項１】
マスクにおけるマスク本体の表面および裏面を覆うマスクカバーであって、
前記マスク本体の表面を覆う表地と、
前記マスク本体の裏面を覆う裏地と、
前記表地と前記裏地とを接合する接合部とを備え、
前記裏地は、前記マスク本体の裏面と対向する内面と、前記内面とは反対側の外面とを有し、
前記裏地の前記外面は撥油層を有している、
ことを特徴とするマスクカバー。
【請求項２】
前記接合部は、前記表地および前記裏地の一方に設けられる雄側ホックと、前記表地および前記裏地の他方に設けられる雌側ホックとを有するホックであり、
前記接合部は、前記表地および前記裏地の四隅に配置されている、
ことを特徴とする請求項１に記載のマスクカバー。
【請求項３】
前記表地および前記裏地は、上下方向に折り畳まれて左右方向に延びるプリーツを有しており、前記プリーツの先端部にはコバステッチが施されている、
ことを特徴とする請求項１または請求項２に記載のマスクカバー。
【請求項４】
前記裏地においては、前記内面側に現れる前記プリーツの先端部にコバステッチが施されている、
ことを特徴とする請求項３に記載のマスクカバー。
【請求項５】
表地と、前記表地に接合される裏地と、接合された前記表地および前記裏地に接続される耳掛け部とを備え、
前記裏地は、前記表地と対向する内面と、前記内面とは反対側の外面とを有し、
前記裏地の前記外面は撥油層を有している、
ことを特徴とするマスク。
【請求項６】
マスク本体と、前記マスク本体に接続される耳掛け部とを備えたマスクであって、
前記マスク本体は、前記マスクを着用した際に着用者に臨む裏面を有し、
前記マスク本体の前記裏面は、撥油層を有している、
ことを特徴とするマスク。
【考案の詳細な説明】
【技術分野】
【０００１】
本考案は、マスクカバーおよびマスクに関する。
【背景技術】
【０００２】
従来、大気中に浮遊する細菌、花粉、および粉塵等の微粒子が鼻や口を通じて体内に侵入することを抑制したり、鼻や口から吐出される分泌物が周囲に飛散することを抑制したりするために着用者の鼻および口を覆うマスクが用いられている。
【０００３】
このようなマスクは、例えば特許文献１に開示されるように、ガーゼや不織布等により形成され着用者の鼻および口を覆うマスク本体と、ゴム紐等により形成されマスク本体の左右両側縁に取り付けられる耳掛け部とを備えており、耳掛け部を着用者の耳に掛けることによりマスク本体を顔に保持することが可能となっている。マスク本体は、着用者がマスクを着用した際に着用者の顔に対向する裏面と、裏面とは反対側の表面とを有している。
【先行技術文献】
【特許文献】
【０００４】
【特許文献１】特開２０１８−２０４１６９号公報
【考案の概要】
【考案が解決しようとする課題】
【０００５】
前述のように、着用者の鼻および口を覆うマスクにおいては、マスク本体の裏面が着用者の顔に接触して、マスク本体の裏面にファンデーションや口紅等が付着する場合がある。マスク本体の裏面にファンデーションや口紅等が付着した場合、マスクを長時間にわたって快適に使用することが困難であった。
【０００６】
そこで、本考案においては、着用したマスク等にファンデーションや口紅等の汚れが付着することを抑制し、マスクを長時間にわたって快適に使用することができるマスクカバーおよびマスクを提供するものである。
【課題を解決するための手段】
【０００７】
上記課題を解決するマスクカバーおよびマスクは、以下の特徴を有する。
【０００８】
即ち、マスクカバーは、マスクにおけるマスク本体の表面および裏面を覆うマスクカバーであって、前記マスク本体の表面を覆う表地と、前記マスク本体の裏面を覆う裏地と、前記表地と前記裏地とを接合する接合部とを備え、前記裏地は、前記マスク本体の裏面と対向する内面と、前記内面とは反対側の外面とを有し、前記裏地の前記外面は撥油層を有している。
【０００９】
これにより、マスクカバーの裏地が汚れることを防いで、マスクカバーが装着されたマスクを長時間にわたって快適に使用することができる。また、マスク本体自体が汚れることを防いで、マスクを長時間にわたって快適に使用することができる。
【００１０】
また、前記接合部は、前記表地および前記裏地の一方に設けられる雄側ホックと、前記表地および前記裏地の他方に設けられる雌側ホックとを有するホックであり、前記接合部は、前記表地および前記裏地の四隅に配置されている。
【００１１】
これにより、マスクカバーが着用者の顔にフィットし易くなり、マスクの着用感が良好となる。
【００１２】
また、前記表地および前記裏地は、上下方向に折り畳まれて左右方向に延びるプリーツを有しており、前記プリーツの先端部にはコバステッチが施されている。
【００１３】
これにより、表地および裏地に型崩れが発生しにくくなる。
【００１４】
また、前記裏地においては、前記内面側に現れる前記プリーツの先端部にコバステッチが施されている。
【００１５】
これにより、裏地のプリーツを着用者が吸い込むことを抑制できる。
【００１６】
また、マスクは、表地と、前記表地に接合される裏地と、接合された前記表地および前記裏地に接続される耳掛け部とを備え、前記裏地は、前記表地と対向する内面と、前記内面とは反対側の外面とを有し、前記裏地の前記外面は撥油層を有している。
【００１７】
これにより、マスクが汚れることを防いで、マスクを長時間にわたって快適に使用することができる。
【００１８】
また、マスクは、マスク本体と、前記マスク本体に接続される耳掛け部とを備えたマスクであって、前記マスク本体は、前記マスクを着用した際に着用者に臨む裏面を有し、前記マスク本体の前記裏面は、撥油層を有している。
【００１９】
これにより、マスク本体が汚れることを防いで、マスクを長時間にわたって快適に使用することができる。
【考案の効果】
【００２０】
本考案によれば、マスクを長時間にわたって快適に使用することができる。
【図面の簡単な説明】
【００２１】
【図１】マスクに装着されたマスクカバーを示す斜視図である。
【図２】マスクカバーと、マスクカバーの表地と裏地との間に配置されたマスクとを示す斜視図である。
【図３】マスクカバーの表地を示す図であって、（ａ）表地の外面側を示す図、（ｂ）は表地の内面側を示す図である。
【図４】マスクカバーの裏地を示す図であって、（ａ）裏地の内面側を示す図、（ｂ）は裏地の外面側を示す図である。
【図５】マスクカバーを示す側面断面図である。
【図６】表地と裏地との間にマスク端部片を挟んだ状態のマスクカバーを示す斜視図である。
【図７】（ａ）は立体マスクに装着可能なマスクカバーを示す斜視図であり、（ｂ）はマスクカバーの裏地を示す側面断面図である。
【図８】（ａ）は表地と、撥油層を有した裏地と、耳掛け部とを備えた第１実施形態に係るマスクを示す斜視図であり、（ｂ）は第１実施形態に係るマスクの裏地を示す側面断面図である。
【図９】（ａ）は第１実施形態に係るマスクの変形例を示す斜視図であり、（ｂ）は第１実施形態に係るマスクの変形例の裏地を示す側面断面図である。
【図１０】（ａ）はマスク生地の裏面に撥油層を有した第２実施形態に係るマスクを示す斜視図であり、（ｂ）は第２実施形態に係るマスクのマスク本体を示す側面断面図である。
【図１１】（ａ）は第２実施形態に係るマスクの変形例を示す斜視図であり、（ｂ）は第２実施形態に係るマスクの変形例のマスク生地を示す側面断面図である。
【考案を実施するための形態】
【００２２】
次に、本考案を実施するための形態を、添付の図面を用いて説明する。
【００２３】
［マスクカバー］
図１、図２に示すマスクカバー１は、平面状のマスク本体５１を備えたマスク５に装着可能に構成されている。
【００２４】
マスク５は、着用者の鼻および口を覆うマスク本体５１と、マスク本体５１の左右両側縁に取り付けられる耳掛け部５２とを備えている。マスク本体５１は、横長の矩形状に形成されており、例えば通気性を有するガーゼまたは不織布を複数枚重ね合わせて形成されている。
【００２５】
耳掛け部５２は、ゴム紐または伸縮性を有する長尺の不織布等により形成されており、ループ状となるように両端がマスク本体５１の左右両端部における上下端に固定されている。つまり、マスク本体５１の左端部に取り付けられる耳掛け部５２は、マスク本体５１の左端部における上端と下端とに固定されており、マスク本体５１の右端部に取り付けられる耳掛け部５２は、マスク本体５１の右端部における上端と下端とに固定されている。このように、左右の耳掛け部５２のマスク本体５１に対する固定部は、マスク本体５１の四隅に位置している。
【００２６】
マスク本体５１は、着用時に着用者の顔に対向する裏面５１ｂと、裏面５１ｂとは反対側の表面５１ａとを有している。また、マスク本体５１は、上下方向に折り畳まれて左右方向に延びる複数のプリーツ（襞）５１ｃを有している。マスク本体５１がプリーツ５１ｃを有することにより、マスク５を着用する際にプリーツ５１ｃを広げてマスク本体５１の面積を大きくすることで、マスク本体５１により着用者の顔を広範囲に覆うことが可能となっている。
【００２７】
マスクカバー１は、マスク５におけるマスク本体５１の表面５１ａおよび裏面５１ｂを覆うものであり、マスク本体５１の表面５１ａを覆う表地２と、マスク本体５１の裏面５１ｂを覆う裏地３と、表地２と裏地３とを接合する接合部であるホック４とを備えている。
【００２８】
表地２は、横長の矩形状の布地または不織布等により形成されている。表地２は、マスク本体５１と同等の大きさ、またはマスク本体５１よりも若干大きな大きさに形成されている。本実施形態においては、表地２は、例えばサテンジャガード生地により形成されている。
【００２９】
図２、図３、図５に示すように、表地２は、マスク本体５１の表面５１ａと対向する内面２２と、内面２２とは反対側の外面２１とを有している。表地２の上端部および下端部は内面２２側に折り畳まれた状態で縫製されており、ロックされている。表地２の左端部および右端部には、バイヤステープ２３が縫製されている。バイヤステープ２３としては、表地２と同じ生地を用いることができる。
【００３０】
表地２は、上下方向に折り畳まれて左右方向に延びるプリーツ（襞）２４を有している。表地２には複数のプリーツ２４が形成されている。本実施形態においては表地２に３段のプリーツ２４が形成されているが、形成されるプリーツ２４の数は、１段、２段、または４段以上であってもよい。表地２がプリーツ２４を有することにより、マスクカバー１が装着されたマスク５を着用する際に、表地２のプリーツ２４を広げることで、プリーツ５１ｃが広げられたマスク本体５１の表面５１ａを全体的に覆うことが可能となっている。
【００３１】
表地２に形成されるプリーツ２４は、外面２１側に現れる先端部２４ａと内面２２側に現れる先端部２４ｂとを有している。表地２の外面２１側において、先端部２４ａはプリーツ２４の下端に位置している。表地２の内面２２側において、先端部２４ｂはプリーツ２４の上端に位置している。つまり、表地２のプリーツ２４は、外面２１側において下側へ向かって延びるように形成されている。
【００３２】
但し、表地２に複数のプリーツ２４を形成する場合、全てが外面２１側において下側へ向かって延びるように形成するだけでなく、例えば表地２の下側半分のプリーツ２４を外面２１側おいて下側へ向かって延びるように形成し、表地２の上側半分のプリーツ２４を外面２１側おいて上側へ向かって延びるように形成することも可能である。
【００３３】
プリーツ２４の先端部２４ａには、コバステッチ２５が施されている。本実施形態においては、表地２におけるプリーツ２４の先端部２４ａにのみコバステッチ２５を施しているが、先端部２４ａに加えて先端部２４ｂにもコバステッチ２５を施すことが可能である。また、先端部２４ａおよび先端部２４ｂの一方にのみコバステッチ２５を施すことも可能である。このように、プリーツ２４の先端部２４ａおよび先端部２４ｂの少なくとも一方にコバステッチ２５を施すことで、表地２に型崩れが発生しにくくなり、例えば洗濯した後の表地２にアイロンを当て易くなっている。
【００３４】
裏地３は、横長の矩形状の布地または不織布等により形成されている。裏地３は、マスク本体５１と同等の大きさ、またはマスク本体５１よりも若干大きな大きさに形成されている。また、裏地３は、表地２と同等の大きさに形成されている。本実施形態においては、裏地３は、例えばタッサー生地により形成されている。
【００３５】
図２、図４、図５に示すように、裏地３は、マスク本体５１の裏面５１ｂと対向する内面３２と、内面３２とは反対側の外面３１とを有している。裏地３２の上端部および下端部は内面３２側に折り畳まれた状態で縫製されており、ロックされている。裏地３の左端部および右端部には、バイヤステープ３３が縫製されている。バイヤステープ３３としては、裏地３と同じ生地を用いることができる。
【００３６】
裏地３は、上下方向に折り畳まれて左右方向に延びるプリーツ（襞）３４を有している。裏地３には複数のプリーツ３４が形成されている。本実施形態においては裏地３に３段のプリーツ３４が形成されているが、形成されるプリーツ３４の数は、１段、２段、または４段以上であってもよい。裏地３がプリーツ３４を有することにより、マスクカバー１が装着されたマスク５を着用する際に、裏地３のプリーツ３４を広げることで、プリーツ５１ｃが広げられたマスク本体５１の裏面５１ｂを全体的に覆うことが可能となっている。
【００３７】
裏地３に形成されるプリーツ３４は、内面３２側に現れる先端部３４ａと外面３１側に現れる先端部３４ｂとを有している。裏地３の内面３２側において、先端部３４ａはプリーツ３４の上端に位置している。裏地３の外面３１側において、先端部３４ｂはプリーツ３４の下端に位置している。つまり、裏地３のプリーツ３４は、内面３１側において上側へ向かって延びるように形成されている。
【００３８】
但し、裏地３に複数のプリーツ３４を形成する場合、全てが内面３２側において上側へ向かって延びるように形成するだけでなく、例えば裏地３の下側半分のプリーツ３４を内面３２側おいて下側へ向かって延びるように形成し、裏地３の上側半分のプリーツ３４を内面３２側おいて上側へ向かって延びるように形成することも可能である。
【００３９】
裏地３の内面３２側に現れるプリーツ３４の先端部３４ａには、コバステッチ３５が施されている。本実施形態においては、裏地３におけるプリーツ３４の先端部３４ａにのみコバステッチ３５を施しているが、先端部３４ａに加えて先端部３４ｂにもコバステッチ３５を施すことが可能である。また、先端部３４ａおよび先端部３４ｂの一方にのみコバステッチ３５を施すことも可能である。このように、プリーツ３４の先端部３４ａおよび先端部３４ｂの少なくとも一方にコバステッチ３５を施すことで、裏地３に型崩れが発生しにくくなり、例えば洗濯した後の裏地３にアイロンを当て易くなっている。
【００４０】
ホック４は、表地２に設けられる雄側ホック４１と、裏地３に設けられる雌側ホック４２とを有している。雄側ホック４１と雌側ホック４２とは、互いに押し付け合うことで係合可能に構成されており、雄側ホック４１と雌側ホック４２とを係合させることで、表地２と裏地３とを接合させることが可能となっている。また、表地２と裏地３との間にマスク５を挟んだ状態で表地２と裏地３とを接合させることにより、マスクカバー１をマスク５に装着することが可能である。
【００４１】
ホック４は、表地２および裏地３の四隅に配置されている。つまり、雄側ホック４１が表地２の四隅に配置されるとともに、雌側ホック４２が裏地３の四隅に配置されており、表地２と裏地３とを重ね合わせることにより、それぞれ対応する雄側ホック４１と雌側ホック４２とが係合可能となっている。
【００４２】
なお、本実施形態では、表地２に雄側ホック４１を設けるとともに、裏地３に雌側ホック４２を設けているが、表地２に雌側ホック４２を設けて、裏地３に雄側ホック４１を設けることもできる。また、ホック４は、樹脂製のホックおよび金属製のホックの何れでも使用可能であるが、樹脂製のホックの方が軽量であり、着用者の肌に触れた際に冷たく感じない等の理由により、樹脂製のホックを用いることが好ましい。
【００４３】
マスクカバー１をマスク５に装着した状態においては、四隅に配置されたホック４のうちマスクカバー１の左端部に配置される２つのホック４は、マスク５のマスク本体５１と左側の耳掛け部５２とにより構成されたループ形状の内部に位置している。また、四隅に配置されたホック４のうちマスクカバー１の右端部に配置される２つのホック４は、マスク５のマスク本体５１と右側の耳掛け部５２とにより構成されたループ形状の内部に位置している。
【００４４】
これにより、表地２と裏地３との間に挟んだマスク本体５１が、表地２と裏地３との間から抜け出ることを抑制でき、マスクカバー１がマスク５に装着された状態を保持することが可能となっている。
【００４５】
また、表地２と裏地３とを接合するホック４は表地２および裏地３の四隅に配置されているため、着用者がマスクカバー１が装着されたマスク５を着用した際に、マスク本体５１の四隅に固定されているマスク５の耳掛け部５２によって、表地２および裏地３の四隅が均等に引っ張られることとなる。これにより、マスクカバー１が着用者の顔にフィットし易くなり、マスク５の着用感が良好となる。
【００４６】
裏地３の外面３１は、マスクカバー１が装着されたマスク５を着用者が着用した際に、着用者の顔に臨む面であり、着用者の鼻および口の近くに位置することとなる。また、マスクカバー１が装着されたマスク５を着用者が着用した際には、折り畳まれたプリーツ３４が上下方向に延びる。この場合、例えば、プリーツ３４の内面３２側の先端部３４ａのみにコバステッチ３５を施した裏地３においては、コバステッチ３５が施されていないプリーツ３４の外面３１側の先端部３４ｂは大きく延びるのに対し、コバステッチ３５が施されたプリーツ３４の内面３２側の先端部３４ａは先端部３４ｂよりも延びる度合いが小さく折り畳み形状が保持される傾向にある。
【００４７】
このように、マスクカバー１が装着されたマスク５を着用者が着用した際に、コバステッチ３５が施された先端部３４ａにはプリーツ３４の折り畳み形状が保持される傾向にある。しかし、先端部３４ａは、裏地３における着用者の顔に臨む外面３１とは反対側の内面３２に現れているため、折り畳み形状が保持されたプリーツ３４の先端部３４ａを着用者が吸い込むことを抑制することが可能である。
【００４８】
図５に示すように、裏地３の外面３１は撥油層３１ａを有している。撥油層３１ａは、撥油層３１ａに接触する油分や水分等の表面張力よりも小さな表面張力を有しており、撥油機能、撥水機能、および防汚機能を備えている。
【００４９】
撥油層３１ａは、例えば外面３１にフッ素樹脂またはシリコン樹脂等の撥油剤をコーティングすることにより構成することができる。また、裏地３の生地を構成している糸素材の表面に撥油剤をコーティングした後に裏地３の生地を形成することによっても、外面３１に撥油層３１ａを形成することが可能である。撥油層３１ａは、裏地３の外面３１に加えて内面３２に形成されていてもよい。
【００５０】
このように、裏地３の外面３１は撥油層３１ａを有しており、外面３１に油分および水分が接触した際に、撥油層３１ａによって油分および水分をはじいて、外面３１に汚れが付着することを抑制できる。
【００５１】
従って、マスクカバー１が装着されたマスク５を着用者が着用して、着用者の顔に裏地３の外面３１が接触した場合、着用者の顔から裏地３の外面３１にファンデーションや口紅等が付着することを抑制することができる。これにより、マスクカバー１の裏地３が汚れることを防いで、マスクカバー１が装着されたマスク５を長時間にわたって快適に使用することが可能となる。
【００５２】
この場合、マスク５におけるマスク本体５１の表面５１ａおよび裏面５１ｂはマスクカバー１により覆われているため、マスク本体５１自体が汚れることも防ぐことができる。これにより、マスク５を長時間にわたって快適に使用するとともに、マスク５を繰り返し使用することが可能となる。
【００５３】
上述のように、マスクカバー１は、マスク５に対してマスク本体５１を全体的に覆うように装着して使用することが可能であるが、図６に示すように使用することもできる。
【００５４】
図６においては、マスク本体５１の左右端部を、マスク本体５１と耳掛け部５２とで構成されたループ形状が保持されるように切断することで、左右のマスク端部片５１Ａが形成されており、マスクカバー１は、ホック４により接合された表地２と裏地３との間にマスク端部片５１Ａを挟んだ状態で使用することができる。表地２と裏地３とによってマスク端部片５１Ａを挟むことで、マスク端部片５１Ａが表地２および裏地３に接続された状態となる。
【００５５】
この場合、マスクカバー１と、マスクカバー１の表地２および裏地３に接続されたマスク端部片５１Ａとで、一つのマスクが構成されている。つまり、マスクカバー１にマスク端部片５１Ａを取り付けることで、マスクカバー１をマスクとして使用することができる。
【００５６】
また、マスク端部片５１Ａが取り付けられたマスクカバー１は、表地２と、表地２に接合される裏地３と、接合された表地２および裏地３に接続される耳掛け部としてのマスク端部片５１Ａとを備え、裏地３は、表地２と対向する内面３２と、内面３２とは反対側の外面３１とを有し、裏地３の外面３１は撥油層３１ａを有している、マスクである。
【００５７】
このように構成されたマスクは、マスク端部片５１Ａの耳掛け部５２を着用者の耳に掛けることで、着用することができる。着用されたマスクにおいては、裏地３の外面３１が着用者の顔に臨むこととなるが、裏地３の外面３１には撥油層３１ａが形成されているため、裏地３の外面３１にファンデーションや口紅等が付着することを抑制することができる。
【００５８】
また、一度使用した不織布マスク等のマスクから切り離したマスク端部片５１Ａと、マスクカバー１とを用いてマスクを構成することで、使用後のマスクを再利用することができ、省資源化に貢献することができる。
【００５９】
［マスクカバーの変形例］
上記実施形態におけるマスクカバー１は、平面状のマスク本体５１を備えたマスク５に装着可能に構成されているが、マスクカバー１は立体形状を有するマスクに装着可能に構成することもできる。
【００６０】
図７に示すマスクカバー１０１は、立体形状を有する立体マスク１０５に装着可能に構成されている。立体マスク１０５は、マスク本体１５１と耳掛け部１５２とを備えており、マスク本体１５１が着用者の顔の形状に沿うような立体的形状に形成されている。耳掛け部１５２はマスク本体１５１の左右両端部に固定されている。マスク本体１５１および耳掛け部１５２は、それぞれマスク５におけるマスク本体５１および耳掛け部５２と同様の素材にて形成することができる。
【００６１】
マスクカバー１０１は、マスク１０５におけるマスク本体１５１の表面１５１ａおよび裏面１５１ｂを覆うものであり、マスク本体１５１の表面１５１ａを覆う表地１０２と、マスク本体１５１の裏面１５１ｂを覆う裏地１０３と、表地１０２と裏地１０３とを接合する接合部であるホック４とを備えている。
【００６２】
表地１０２は、マスク本体１５１の形状に沿った立体形状を有しており、マスク本体１５１の表面１５１ａを全体的に被覆可能に構成されている。表地１０２は、マスク本体１５１の表面１５１ａと対向する内面１２２と、内面１２２とは反対側の外面１２１とを有している。
【００６３】
裏地１０３は、マスク本体１５１の形状に沿った立体形状を有しており、マスク本体１５１の裏面１５１ｂを全体的に被覆可能に構成されている。裏地１０３は、マスク本体１５１の裏面１５１ｂと対向する内面１３２と、内面１３２とは反対側の外面１３１とを有している。
【００６４】
裏地１０３の外面１３１は、マスクカバー１０１が装着された立体マスク１０５を着用者が着用した際に、着用者の顔に臨む面である。図７（ｂ）に示すように、裏地１０３の外面１３１は撥油層１３１ａを有している。撥油層１３１ａは、裏地３の外面１に形成される撥油層３１ａと同様に構成されている。表地１０２および裏地１０３は、それぞれ表地２および裏地３と同様の生地により形成することができる。
【００６５】
ホック４は、表地１０２および裏地１０３の四隅に配置されている。マスクカバー１０１をマスク１０５に装着した状態においては、マスクカバー１０１の左端部に配置される２つのホック４は、マスク本体１５１と左側の耳掛け部１５２とにより構成されたループ形状の内部に位置しており、マスクカバー１０１の右端部に配置される２つのホック４は、マスク本体１５１と右側の耳掛け部１５２とにより構成されたループ形状の内部に位置している。
【００６６】
これにより、表地１０２と裏地１０３との間に挟んだマスク本体１５１が、表地１０２と裏地１０３との間から抜け出ることを抑制でき、マスクカバー１０１がマスク１０５に装着された状態を保持することが可能となっている。
【００６７】
このように構成されたマスクカバー１０１においては、マスクカバー１０１が装着されたマスク１０５を着用者が着用して、着用者の顔に裏地１０３の外面１３１が接触した場合、外面１３１は撥油層１３１ａを有しているため、着用者の顔から裏地１０３の外面１３１にファンデーションや口紅等が付着することを抑制することができる。これにより、マスクカバー１０１の裏地１０３が汚れることを防いで、マスクカバー１０１が装着されたマスク１０５を長時間にわたって快適に使用することが可能となる。
【００６８】
この場合、マスク１０５におけるマスク本体１５１の表面１５１ａおよび裏面１５１ｂはマスクカバー１０１により覆われているため、マスク本体１５１自体が汚れることも防ぐことができる。これにより、マスク１０５を長時間にわたって快適に使用するとともに、マスク１０５を繰り返し使用することが可能となる。
【００６９】
［マスクの第１実施形態］
図８に示すマスク２０１は、着用者の鼻および口を覆うものであり、表地２０２と、表地２０２に接合される裏地２０３と、接合された表地２０２および裏地２０３に接続される耳掛け部２０４とを備えている。接合された表地２０２および裏地２０３は、着用者の鼻および口を覆うマスク本体を構成しており、耳掛け部２０４はこのマスク本体に接続されている。表地２０２および裏地２０３により構成されたマスク本体は、平面状に形成されている。
【００７０】
表地２０２は、横長の矩形状に形成されており、裏地２０３と対向する内面２２２と、内面２２２とは反対側の外面２２１とを有している。表地２０２は、例えばマスクカバー１の表地２と同様の生地により形成することができる。
【００７１】
裏地２０３は、表地２０２と同等の大きさの横長の矩形状に形成されており、表地２０２と重ね合わせることが可能となっている。裏地２０３は、表地２０２と対向する内面２３２と、内面２３２とは反対側の外面２３１とを有している。裏地２０３は、例えばマスクカバー１の裏地３と同様の生地により形成することができる。
【００７２】
表地２０２と裏地２０３とは、例えば縫製することにより接合される。また、表地２０２および裏地２０３が熱により溶融可能な不織布により形成されている場合には、表地２０２と裏地２０３とを超音波等を用いて溶融させることにより両者を接合することができる。
【００７３】
耳掛け部２０４は、接合された表地２０２および裏地２０３の左右両端部に接続されている。耳掛け部２０４は、表地２０２と裏地２０３とを接合する際に、同時に表地２０２および裏地２０３に取り付けることができる。また、耳掛け部２０４は、表地２０２と裏地２０３とを接合した後に、接合された表地２０２および裏地２０３に取り付けることができる。
【００７４】
裏地２０３の外面２３１は、マスク２０１を着用者が着用した際に、着用者の顔に臨む面である。図８（ｂ）に示すように、裏地２０３の外面２３１は撥油層２３１ａを有している。撥油層２３１ａは、裏地３の外面３１に形成される撥油層３１ａと同様に構成されている。撥油層２３１ａは、裏地２０３の外面２３１に加えて内面２３２に形成されていてもよい。
【００７５】
このように構成されたマスク２０１においては、マスク２０１を着用者が着用して、着用者の顔に裏地２０３の外面２３１が接触した場合、外面２３１は撥油層２３１ａを有しているため、着用者の顔から裏地２０３の外面２３１にファンデーションや口紅等が付着することを抑制することができる。これにより、マスク２０１の裏地２０３が汚れることを防いで、マスク２０１を長時間にわたって快適に使用することが可能となる。
【００７６】
［第１実施形態に係るマスクの変形例］
図９に示すマスク３０１は、立体形状を有している点で、平面状に形成されるマスク２０１と異なっている。マスク３０１は、着用者の鼻および口を覆うものであり、表地３０２と、表地３０２に接合される裏地３０３と、接合された表地３０２および裏地３０３に接続される耳掛け部３０４とを備えている。接合された表地３０２および裏地３０３は、着用者の鼻および口を覆うマスク本体を構成しており、耳掛け部３０４はこのマスク本体に接続されている。
【００７７】
表地３０２は、着用者の顔の形状に沿うような立体的形状に形成されており、裏地３０３と対向する内面３２２と、内面３２２とは反対側の外面３２１とを有している。表地３０２は、例えばマスクカバー１の表地２と同様の生地により形成することができる。
【００７８】
裏地３０３は、着用者の顔の形状に沿うような立体的形状に形成されており、表地３０２と重ね合わせることが可能となっている。裏地３０３は、表地３０２と対向する内面３３２と、内面３３２とは反対側の外面３３１とを有している。裏地３０３は、例えばマスクカバー１の裏地３と同様の生地により形成することができる。
【００７９】
表地３０２と裏地３０３とは、例えば縫製することにより接合される。また、表地３０２および裏地３０３が熱により溶融可能な不織布により形成されている場合には、表地３０２と裏地３０３とを超音波等を用いて溶融させることにより両者を接合することができる。
【００８０】
耳掛け部３０４は、接合された表地３０２および裏地３０３の左右両端部に接続されている。耳掛け部３０４は、表地３０２と裏地３０３とを接合する際に、同時に表地３０２および裏地３０３に取り付けることができる。また、耳掛け部３０４は、表地３０２と裏地３０３とを接合した後に、接合された表地３０２および裏地３０３に取り付けることができる。
【００８１】
裏地３０３の外面３３１は、マスク３０１を着用者が着用した際に、着用者の顔に臨む面である。図９（ｂ）に示すように、裏地３０３の外面３３１は撥油層３３１ａを有している。撥油層３３１ａは、裏地３の外面３１に形成される撥油層３１ａと同様に構成されている。撥油層３３１ａは、裏地３０３の外面３３１に加えて内面３３２に形成されていてもよい。
【００８２】
このように構成されたマスク３０１においては、マスク３０１を着用者が着用して、着用者の顔に裏地３０３の外面３３１が接触した場合、外面３３１は撥油層３３１ａを有しているため、着用者の顔から裏地３０３の外面３３１にファンデーションや口紅等が付着することを抑制することができる。これにより、マスク３０１の裏地３０３が汚れることを防いで、マスク３０１を長時間にわたって快適に使用することが可能となる。
【００８３】
［マスクの第２実施形態］
図１０に示すマスク４０１は、着用者の鼻および口を覆うものであり、着用者の鼻および口を覆うマスク本体４０２と、マスク本体４０２に接続される耳掛け部４０３とを備えている。マスク本体４０２は、平面状に形成されている。
【００８４】
マスク本体４０２は、横長の矩形状に形成されており、着用者の顔に臨む裏面４２２と、裏面４２２とは反対側の表面４２１とを有している。マスク本体４０２は、例えばマスクカバー１の裏地３と同様の生地により形成することができる。
【００８５】
図１０（ｂ）に示すように、マスク本体４０２の裏面４２２は撥油層４２２ａを有している。撥油層４２２ａは、裏地３の外面３１に形成される撥油層３１ａと同様に構成されている。撥油層４２２ａは、マスク本体４０２の裏面４２２に加えて表面４２１に形成されていてもよい。
【００８６】
このように構成されたマスク４０１においては、マスク４０１を着用者が着用して、着用者の顔にマスク本体４０２の裏面４２２が接触した場合、裏面４２２は撥油層４２２ａを有しているため、着用者の顔からマスク本体４０２の裏面４２２にファンデーションや口紅等が付着することを抑制することができる。これにより、マスク４０１のマスク本体４０２が汚れることを防いで、マスク４０１を長時間にわたって快適に使用することが可能となる。
【００８７】
［第２実施形態に係るマスクの変形例］
図１１に示すマスク５０１は、着用者の鼻および口を覆うものであり、着用者の鼻および口を覆うマスク本体５０２Ａと、マスク本体５０２Ａに接続される耳掛け部５０２Ｂとを備えている。マスク本体５０２Ａと耳掛け部５０２Ｂとは、マスク生地５０２により一体的に形成されている。
【００８８】
マスク生地５０２は、着用者の顔の形状に沿うような立体的形状に形成されており、着用者の顔に臨む裏面５２２と、裏面５２２とは反対側の表面５２１とを有している。つまり、マスク本体５０２Ａと耳掛け部５０２Ｂとは、表面５２１および裏面５２２を有している。マスク生地５０２は、例えばマスクカバー１の裏地３と同様の生地により形成することができる。
【００８９】
図１１（ｂ）に示すように、マスク生地５０２の裏面５２２は撥油層５２２ａを有している。つまり、マスク本体５０２Ａおよび耳掛け部５０２Ｂの裏面５２２は撥油層５２２ａを有している。撥油層５２２ａは、裏地３の外面３１に形成される撥油層３１ａと同様に構成されている。
【００９０】
撥油層５２２ａは、マスク生地５０２の裏面５２２に加えて表面５２１に形成されていてもよい。つまり、撥油層５２２ａは、マスク本体５０２Ａおよび耳掛け部５０２Ｂの裏面５２２に加えて表面５２１に形成されていてもよい。
【００９１】
このように構成されたマスク５０１においては、マスク５０１を着用者が着用して、着用者の顔にマスク生地５０２の裏面５２２が接触した場合、裏面５２２は撥油層５２２ａを有しているため、着用者の顔からマスク生地５０２の裏面５２２にファンデーションや口紅等が付着することを抑制することができる。これにより、マスク５０１のマスク生地５０２が汚れることを防いで、マスク５０１を長時間にわたって快適に使用することが可能となる。
【００９２】
なお、マスク生地５０２においては、マスク本体５０２Ａと耳掛け部５０２Ｂとが、１枚のマスク生地５０２によって一体的に形成されているが、別体に形成されたマスク本体５０２Ａと耳掛け部５０２Ｂと接続するように構成することもできる。
【００９３】
１、１０１  マスクカバー
２、１０２  表地
３、１０３  裏地
４    ホック
５、１０５  マスク
２１、１２１  外面
２２、１２２  内面
２４    プリーツ
２４ａ  先端部
２５    コバステッチ
３１、１３１  外面
３１ａ、１３１ａ  撥油層
３２、１３２  内面
３４    プリーツ
３４ａ  先端部
３５    コバステッチ
４１    雄側ホック
４２    雌側ホック
５１、１５１  マスク本体
５１ａ、１５１ａ  表面
５１ｂ、１５１ｂ  裏面
５２、１５２  耳掛け部
２０１、３０１  マスク
２０２、３０２  表地
２０３、３０３  裏地
２０４、３０４  耳掛け部
２２１、３２１  外面
２２２、３２２  内面
２３１、３３１  外面
２３１ａ、３３１ａ  撥油層
２３２、３３２  内面
４０１    マスク
４０２    マスク本体
４０３    耳掛け部
４２１    表面
４２２    裏面
４２２ａ  撥油層
５０１    マスク
５０２    マスク生地
５０２Ａ  マスク本体
５０２Ｂ  耳掛け部
５２１    表面
５２２    裏面
５２２ａ  撥油層
【図１】
0003227459.tif 000003
【図２】
0003227459.tif 000004
【図３】
0003227459.tif 000005
【図４】
0003227459.tif 000006
【図５】
0003227459.tif 000007
【図６】
0003227459.tif 000008
【図７】
0003227459.tif 000009
【図８】
0003227459.tif 000010
【図９】
0003227459.tif 000011
【図１０】
0003227459.tif 000012
【図１１】
0003227459.tif 000013